(57)【要約】【課題】侵入者の侵入を防止するとともに、装備時の安全性が高く作業性が良い船舶用侵入防止具を提供する。【解決手段】船舶用侵入防止具１は、船舶の船体１００の外側に張り出すように配置可能とされた有刺鉄線１３と、少なくとも船体１００における舷側部１１０の手すり２に取付けられ、有刺鉄線１３を保持するための保持部１１と、有刺鉄線１３と保持部１１とを連結し、保持部１１に沿って移動可能な連結部１２と、を備えている。保持部１１は、手すり２よりも船体１００の内側で延びる第１延伸部１１ａと、手すり２よりも船体１００の外側で延びる第２延伸部１１ｂと、第１延伸部１１ａと第２延伸部とを連結する第３延伸部１１ｃと、を有し、第１延伸部１１ａと第２延伸部１１ｂと第３延伸部１１ｃとにより保持部１１に沿った連結部１２の移動をガイドする。【選択図】図１
2014136450.tif 000002
【特許請求の範囲】
【請求項１】
船舶への侵入者の侵入を防止する船舶用侵入防止具であって、
前記船舶の船体外に張り出すように配置可能とされた侵入阻害部と、
少なくとも前記船体における舷側部の手すりに取付けられ、前記侵入阻害部を保持するための保持部と、
前記侵入阻害部と前記保持部とを連結するとともに、前記保持部に沿って移動可能な連結部と、を備え、
前記保持部は、
前記手すりよりも前記船体内側で延びる第１延伸部と、
前記手すりよりも前記船体外側で延びる第２延伸部と、
前記第１延伸部と前記第２延伸部とを連結する第３延伸部と、を有し、
前記第１延伸部と前記第２延伸部と前記第３延伸部とにより、前記保持部に沿った前記連結部の移動をガイドすることを特徴とする船舶用侵入防止具。
【請求項２】
前記保持部に着脱可能に設けられ、前記連結部の移動を規制する規制部をさらに備える、請求項１に記載の船舶用侵入防止具。
【請求項３】
前記連結部は、前記侵入阻害部により構成されている、又は、前記侵入阻害部とは別体により構成されている、請求項１又は２に記載の船舶用侵入防止具。
【請求項４】
前記保持部は、前記手すりに着脱可能に取付けられている、請求項1〜３のいずれか一項に記載の船舶用侵入防止具。
【請求項５】
前記侵入阻害部は、有刺鉄線を含んでいる、請求項１〜４のいずれか一項に記載の船舶用侵入防止具。
【発明の詳細な説明】
【技術分野】
【０００１】
本発明は、船舶用侵入防止具に関する。
【背景技術】
【０００２】
従来、種々の用途で様々な船舶が利用されており、例えば、コンテナを輸送するコンテナ船や、ばら積みのセメントを輸送するセメントタンカー、原油等の液体可燃物を輸送するための石油タンカー等が知られている。例えば特許文献１には、原油と飲料水等の清水との両方を効率的且つ安全に輸送することが図られたタンカーが記載されている。
【先行技術文献】
【特許文献】
【０００３】
【特許文献１】特開２００５−１４６９８号公報
【発明の概要】
【発明が解決しようとする課題】
【０００４】
ところで、特許文献１に記載されたタンカー等の船舶が運航する海域の中には、船舶への海賊等の侵入者の侵入・襲撃が問題となる海域がある。このような海域を運航する船舶は、海賊を船舶内に侵入させない設備（侵入防止具）を装備することが重要である。通常、海賊は、ロープのついたアンカーを船舶の舷側近辺のハンドレールに引っ掛けること等により船舶内に侵入する。よって、このような侵入を防止する侵入防止具は、船舶の舷側に設けられることが一般的である。一方、船体の舷側に侵入防止具を装備する作業は、装備時に作業者が海に落下するおそれを有した作業であるため、作業者は作業を慎重に手間をかけて行う必要があり、装備には多くの人手や時間がかかる場合がある。
【０００５】
そこで、本発明は、侵入者の侵入を防止するとともに、装備時の安全性が高く作業性が良い船舶用侵入防止具を提供することを課題とする。
【課題を解決するための手段】
【０００６】
上記課題を解決するため、本発明に係る船舶用侵入防止具は、船舶への侵入者の侵入を防止する船舶用侵入防止具であって、船舶の船体外に張り出すように配置可能とされた侵入阻害部と、少なくとも船体における舷側部の手すりに取付けられ、侵入阻害部を保持するための保持部と、侵入阻害部と保持部とを連結するとともに、保持部に沿って移動可能な連結部と、を備え、保持部は、手すりよりも船体内側で延びる第１延伸部と、手すりよりも船体外側で延びる第２延伸部と、第１延伸部と第２延伸部とを連結する第３延伸部と、を有し、第１延伸部と第２延伸部と第３延伸部とにより、保持部に沿った連結部の移動をガイドすることを特徴とする。
【０００７】
この船舶用侵入防止具では、保持部に保持された侵入阻害部が船体外に張り出すように配置可能とされているため、海賊等の侵入者が舷側から侵入してくることを効果的に防止できる。また、作業者は、船体内側において連結部を介して侵入阻害部を保持部の第１延伸部へ取り付け、当該連結部を侵入阻害部とともに第３延伸部を通って第２延伸部まで移動させることにより、侵入阻害部を舷側に配置することができる。すなわち、作業者の落下等の可能性が少ない船体内側にて侵入阻害部を装着できるとともに、該侵入阻害部を船体外に張り出すように配置することができる。このことで、侵入防止具の装備時の安全性を向上させることができる。また、侵入防止具の装備を安全に行うことができるため、従来と比較して作業の手間が軽減し、作業に要する人手や時間を減らすことができる。すなわち、侵入防止具装備時の作業性を向上させることができる。
【０００８】
また、保持部に着脱可能に設けられ、連結部の移動を規制する規制部をさらに備えることが好ましい。保持部に規制部が設けられることにより、侵入阻害部を連結した連結部の移動範囲が規制されるため、侵入阻害部の配置を一定の範囲に制限することができ、海賊等の侵入者が舷側から侵入してくることをより効果的に防止できる。
【０００９】
また、上記作用効果を好適に奏する構成として、具体的には、連結部は、侵入阻害部により構成されている、又は、侵入阻害部とは別体により構成されている場合がある。
【００１０】
また、保持部は、手すりに着脱可能に取付けられていることが好ましい。保持部が手すりに着脱可能とされていることで、例えば、侵入防止部を装備する必要がある場合のみ保持部を設けることができる。
【００１１】
また、侵入阻害部は、有刺鉄線を含んでいることが好ましい。侵入阻害部として有刺鉄線を含んでいることで、海賊等の侵入者の侵入を効果的に防止できる。
【発明の効果】
【００１２】
本発明によれば、侵入者の侵入を防止するとともに、装備時の安全性が高く作業性が良い船舶用侵入防止具を提供することができる。
【図面の簡単な説明】
【００１３】
【図１】本発明の一実施形態に係る船舶用侵入防止具の側断面図である。
【図２】図１に示す船舶用侵入防止具が配置された船舶の平面図である。
【図３】図２の一部拡大図である。
【図４】図１に示す船舶用侵入防止具の取付けの一工程を示す図である。
【図５】図１に示す船舶用侵入防止具の取付けの一工程を示す他の図である。
【図６】変形例に係る船舶用侵入防止具の側断面図である。
【図７】他の変形例に係る船舶用侵入防止具の側断面図である。
【図８】さらに他の変形例に係る船舶用侵入防止具の正面図である。
【発明を実施するための形態】
【００１４】
以下、添付図面を参照して、本発明の好適な実施形態について詳細に説明する。なお、以下の説明において同一又は相当要素には同一符号を付し、重複する説明を省略する。また、「前」「後」「左」「右」「上」「下」の語は、図示する状態に基づくものであり、便宜的なものである。
【００１５】
図１は本発明の一実施形態に係る船舶用侵入防止具の側断面図、図２は図１に示す船舶用侵入防止具が配置された船舶の平面図、図３は図２の一部拡大図である。本実施形態の船舶用侵入防止具１は、船舶の船体１００に海賊等の侵入者が侵入することを防止するためのものである。図１に示すように、船舶用侵入防止具１は、少なくとも船体１００の舷側部１１０に設けられている。なお、舷側部１１０とは、船体１００における舷側１０１近傍の領域をいう。
【００１６】
この船舶用侵入防止具１は、舷側部１１０の手すり２に取付けられた保持部１１と、保持部１１に沿って移動可能な連結部１２と、連結部１２に連結された有刺鉄線１３と、連結部１２の移動を規制する規制部１４と、を含んで構成されている。
【００１７】
保持部１１は、連結部１２を介して有刺鉄線１３を保持する部材であり、有刺鉄線１３を保持するのに必要十分な強度、剛性、及び耐性のある材料で形成されている。また、この保持部１１は、連結部１２との摺動等により生じる摩耗に耐えうる耐摩耗性を有している。例えば、保持部１１は、アルミニウムやチタン、ＦＲＰ、プラスチック、コンクリート等により形成されている。なお、保持部１１には、塩害対策のために好ましいとして、例えばエポキシ塗料等の塗料が塗布されていてもよい。
【００１８】
この保持部１１は、舷側部１１０の手すり２に常設されており、例えば、保持部１１は、舷側部１１０の上甲板に溶接又はボルト締結されることで固定されている。保持部１１は、手すり２よりも船体内側において上方に真っ直ぐ延び、手すり２の上方を跨ぐように船体外側へ曲がるように延びた後、手すり２よりも船体外側において下方へ真っ直ぐ延びている。
【００１９】
具体的には、保持部１１は、手すり２よりも船体１００の内側において船体１００の上甲板に立設され垂直方向に延びる第１延伸部１１ａと、手すり２よりも船体１００の外側において船体１００の上甲板に立設され垂直方向に延びる第２延伸部１１ｂと、第１延伸部１１ａと第２延伸部１１ｂとを連結する第３延伸部１１ｃと、を含んで構成されている。
【００２０】
第１延伸部１１ａ、第２延伸部１１ｂ及び第３延伸部１１ｃは、それぞれ手すり２に近接して配置されており、ここでは、少なくとも連結部１２が移動可能な程度の所定の隙間が手すり２との間に形成されるように設けられている。なお、図示する例では、第１延伸部１１ａと第２延伸部１１ｂと第３延伸部１１ｃとが互いに連続するように一体で形成されているが、第１延伸部１１ａと第２延伸部１１ｂとが別体として形成され、これらが別体の第３延伸部１１ｃにより連結されていてもよい。
【００２１】
第１延伸部１１ａ及び第２延伸部１１ｂは、下端部が船体１００に設置された棒状外形の棒状部材である。例えば、第１延伸部１１ａ及び第２延伸部１１ｂは、その形状を円柱（丸棒）状、角柱状、円筒（パイプ）状、角筒状等とすることができる。第１延伸部１１ａ及び第２延伸部１１ｂの高さは、手すり２の高さよりも高くされている。なお、第１延伸部１１ａ及び第２延伸部１１ｂの下部（上甲板近傍）には、後述する規制部１４を差し込むための貫通穴が設けられている。第１延伸部１１ａに設けられた貫通穴と第２延伸部１１ｂに設けられた貫通穴とは、同一の孔径とされ、且つ、同一高さ位置に設けられている。
【００２２】
第３延伸部１１ｃは、第１延伸部１１ａと第２延伸部１１ｂとを連結する棒状部材であり、手すり２の上方にて水平方向に延在している。また、この第２延伸部１１ｃにおける第１延伸部１１ａ及び第２延伸部１１ｂとの連結部分は、これらと滑らかに連なるような湾曲形状とされている。
【００２３】
ここで、本実施形態の保持部１１にあっては、保持部１１に沿った連結部１２の移動をガイドしている。つまり、保持部１１は、第１〜第３延伸部１１ａ，１１ｂ，１１ｃにより連結部１２の移動を案内し、当該連結部１２を船体１００の内側から船体１００の外側へ手すり２を跨ぐように移動可能とする。
【００２４】
連結部１２は、有刺鉄線１３と保持部１１とを連結するとともに、保持部１１に沿って移動可能とされた部材である。連結部１２は、保持部１１に内挿されたリング状の部材であり、例えば金属やプラスチック等で形成されている。
【００２５】
連結部１２には、有刺鉄線１３が連結されており、例えば有刺鉄線１３が連結部１２に巻き付けられて固定されている。この連結部１２の径は、保持部１１に連結された状態で有刺鉄線１３を連結可能なスペースを有する所定長とされている。
【００２６】
有刺鉄線１３は、船体１００の外に張り出すように配置可能とされた侵入阻害部であり、複数の刺部（針）を含む鉄線で構成されている。有刺鉄線１３としては、例えばクロスループタイプのレイザーワイヤが用いられている。有刺鉄線１３は、螺旋状に巻かれた部材であり、その中心軸方向に展開され（伸ばされ）、例えば１０ｍ〜１５ｍ程度の軸方向長さとされた状態で連結部１２に連結される。ここでの有刺鉄線１３は、図２に示すように、上方視において船舶の船体１００全周に亘るように配設されている。なお、図２には、船舶用侵入防止具１の有刺鉄線１３以外の構成要素、及び舷側部１１０の手すり２を省略して記載している。
【００２７】
規制部１４は、連結部１２の移動を規制する部材である。規制部１４は、ボルト部１４ａとナット部１４ｂとを含んで構成され、保持部１１に着脱可能に設けられている。具体的には、規制部１４では、第２延伸部１１ｂに設けられた貫通穴から、第１延伸部１１ａに設けられた貫通穴に連通するようにボルト部１４ａが差し込まれた後、ナット部１４ｂが締め付けられることにより、保持部１１に締結されている。
【００２８】
なお、規制部１４は、第１延伸部１１ａ及び第２延伸部１１ｂの双方に締結されるものでなくてもよく、これらのいずれか一方に締結されるものであってもよい。要は、規制部１４は、保持部１１に着脱可能に設けられるものであればよい。
【００２９】
ちなみに、図３に示すように、保持部１１は、舷側部１１０の手すりに所定間隔（ここでは等間隔）に取り付けられており、これにより、隣り合う保持部１１間で有刺鉄線１３が連結部１２を介して保持されている。
【００３０】
次に、図４及び図５を用いて、船舶用侵入防止具の取付け工程について説明する。図４及び図５は、図１に示す船舶用侵入防止具の取付けの一工程を示す図である。
【００３１】
まず、図４（ａ）に示すように、連結部１２を第１延伸部１１ａの下端部まで移動させる。つづいて、図４（ｂ）に示すように、螺旋状に巻かれた有刺鉄線１３の中心軸方向一方側を、連結部１２に巻き付けて連結する。この際、有刺鉄線１３を中心軸方向に展開し、当該保持部１１と隣り合う別の保持部１１の連結部１２に、図４（ａ），（ｂ）に示す工程と同様にして有刺鉄線１３の中心軸方向他方側を連結する。これにより、隣り合う２つの保持部１１それぞれの連結部１２に、有刺鉄線１３の両端が連結される。なお、有刺鉄線１３を扱う際には、手に刺部（針）が刺さらないように専用の手袋（グローブ）等を装着する。
【００３２】
つづいて、図５（ａ）に示すように、有刺鉄線１３が連結された連結部１２を、第１延伸部１１ａ、第３延伸部１１ｃ及び第２延伸部１１ｂにこの順で沿うようにして、有刺鉄線１３とともに移動させる。このとき、連結部１２の移動は、有刺鉄線１３の両端を連結した２つの連結部１２で同時に行うことができる。そして、連結部１２を第２延伸部１１ｂの下端部まで移動させ、これにより、有刺鉄線１３は、船体外に張り出すように配置されることとなる。
【００３３】
つづいて、図５（ｂ）に示すように、第２延伸部１１ｂの貫通孔よりも連結部１２が下方に位置する状態において、規制部１４のボルト部１４ａを第２延伸部１１ｂの貫通穴から挿入して第１延伸部１１ａの貫通穴へ貫通させ、ナット部１４ｂでボルト部１４ａを締め付ける。これにより、保持部１１に規制部１４が締結され、連結部１２が上方へ所定距離以上移動しないように移動規制される。
【００３４】
以上、本実施形態の船舶用侵入防止具１では、舷側部１１０の手すり２に取付けられた保持部１１に保持された有刺鉄線１３が船体外に張り出すように配置可能とされているため、海賊等の侵入者が舷側１０１から侵入してくることを効果的に防止できる。また、保持部１１は、手すり２よりも船体１００の内側で延びる第１延伸部１１ａと船体１００の外側で延びる第２延伸部１１ｂとこれらの部分を連結する第３延伸部１１ｃとを有しており、保持部１１に沿って移動可能な連結部１２を、第１延伸部１１ａから第３延伸部１１ｃを介し第２延伸部１１ｂまで、有刺鉄線１３を連結した状態で移動させることができる。
【００３５】
一般的に、手すり２の外側での作業は、手すり２の内側での作業と比べて作業者が海に落下するおそれの高い作業であるところ、従来、船体１００の舷側１０１に侵入防止具を装備する作業は手すり２の外側で行われているため、作業者は該作業を慎重に手間をかけて（多くの人手と時間をかけて）行う必要があった。
【００３６】
この点、本実施形態に係る船舶用侵入防止具１では、上述したように、連結部１２を介して有刺鉄線１３を手すり２よりも船体１００の内側で延びる第１延伸部１１ａに装備した後に、該連結部１２を、手すり２よりも船体１００の外側で延びる第２延伸部１１ｂまで移動させることができる。すなわち、作業者の落下等のおそれが低い、手すり２よりも船体１００の内側で有刺鉄線１３を装備することができるとともに、連結部１２を移動させることによって、該有刺鉄線１３を海賊等の侵入経路である舷側１０１に配置することができる。このことで、船舶用侵入防止具１の装備時の安全性を向上させることができる。その結果、従来と比較して作業の手間が軽減し、作業に要する人手や時間を減らすことが可能となる。すなわち、侵入防止具装備時の作業性を向上させることができる。
【００３７】
また、保持部１１に着脱可能に設けられ、連結部１２の移動を規制する規制部１４をさらに備えることで、有刺鉄線１３を連結した連結部１２の移動範囲が規制されるため、有刺鉄線１３の配置を一定の範囲に制限することができ、有刺鉄線１３が風等により意図しない箇所に位置されることを抑制できる。すなわち、海賊等の侵入者が舷側１０１から侵入してくることを一層効果的に防止できる。
【００３８】
以上、本発明の好適な実施形態について説明したが、本発明は上記実施形態に限定されるものではなく、各請求項に記載した要旨を変更しない範囲で変形し、又は他のものに適用したものであってもよい。
【００３９】
例えば上記実施形態では、図６に示す船舶用侵入防止具１ａのように、連結部１２ａをボルト及びナットで保持部１１に連結される構成とし、連結部１２ａの保持部１１への着脱を自由に行えるようにしてもよい。
【００４０】
また、図７に示す船舶用侵入防止具１ｂのように、連結部１３ａが有刺鉄線１３により構成されていてもよい。換言すると、連結部１３ａは、保持部１１に巻き付けられた有刺鉄線１３により構成されていてもよい。このような連結部１３ａを用いることで、部品点数を少なくすることができる。
【００４１】
また、図８に示す船舶用侵入防止具１ｃのように、保持部１１ｘが船体１００に固定されるものではなく、手すり２に着脱可能に構成されていてもよい。具体的には、第１延伸部１１ａの下端部と第２延伸部１１ｂの下端部とが、上甲板に固定されずに、棒状部材により互いに連結されていてもよい。
【００４２】
この場合、船舶用侵入防止具１ｂを装備する必要がある場合のみ保持部１１ｘを設けることができる。またこの場合、例えばスタンションを２つ以上有する手すり２ａを用いることで、隣り合うスタンション間の範囲で保持部１１ｘひいては有刺鉄線１３の移動を規制できる。
【００４３】
また、上記実施形態では、保持部１１の第３延伸部１１ｃが手すり２よりも上方に配置されているが、第３延伸部１１ｃは、第１延伸部１１ａと第２延伸部１１ｂとを連結し保持部１１ｘに沿った連結部１２の移動をガイドできれば、手すり２を構成する各部材間に進入するように配置されていてもよい。
【００４４】
また、上記実施形態では、第１延伸部１１ａ及び第２延伸部１１ｂが垂直方向に延びているが、これに限定されず、例えば、第１延伸部１１ａ及び第２延伸部１１ｂが船体１００の上甲板に平行な方向に延びるものであってもよい。この場合、第３延伸部１１ｃは、保持部１１に沿った連結部１２の移動をガイド可能となるようにして、第１延伸部１１ａ及び第２延伸部１１ｂを互いに連結すればよい。
【００４５】
また、上記実施形態では、侵入阻害部として有刺鉄線１３を用いたが、これに代えて又は加えて、例えば、刺部（針）を含むフェンスや、ノズルから高圧水を噴射するウォータージェット装置等を侵入阻害部として用いてもよい。
【符号の説明】
【００４６】
１，１ａ，１ｂ，１ｃ…船舶用侵入防止具、２，２ａ…手すり、１１，１１ｘ…保持部、１１ａ…第１延伸部、１１ｂ…第２延伸部、１１ｃ…第３延伸部、１２，１２ａ，１３ａ…連結部、１３…有刺鉄線、１４…規制部、１００…船体、１１０…舷側部。
【図１】
2014136450.tif 000003
【図２】
2014136450.tif 000004
【図３】
2014136450.tif 000005
【図４】
2014136450.tif 000006
【図５】
2014136450.tif 000007
【図６】
2014136450.tif 000008
【図７】
2014136450.tif 000009
【図８】
2014136450.tif 000010